(57)【要約】      （修正有）【課題】優れた拡大率を有し携帯に便利で、女性が所持しても違和感のない美観に優れたルーペを提供する。【解決手段】把持部１１と、把持部に固定されたレンズ部１２とを有するルーペ本体１３と、レンズ部を被覆しうるキャップ部１４とを備え、レンズ部は細長板状に形成されて把持部の先端面部１５に固定され、キャップ部は把持部に係合固定される。レンズ部は、長さ方向中間部の厚さ寸法が最も大きいと共に、両端部に至るに従って厚さ寸法が小さくなるように形成された両凸レンズからなる。【選択図】図２
0003185590.tif 000002
【実用新案登録請求の範囲】
【請求項１】
把持部と、前記把持部に固定されたレンズ部とを有するルーペ本体と、前記レンズ部を被覆しうるキャップ部とを備え、前記レンズ部は細長板状に形成されて前記把持部の先端面部に固定され、前記キャップ部は前記把持部に係合固定されることを特徴とするルーペ。
【請求項２】
前記レンズ部は、長さ方向中間部の厚さ寸法が最も大きいと共に、両端部に至るに従って厚さ寸法が小さくなるように形成された両凸レンズからなることを特徴とする請求項１に記載のルーペ。
【請求項３】
前記把持部及び前記キャップ部は、同一径寸法の開口端部を有する筒状に形成されていることを特徴とする請求項１に記載のルーペ。
【請求項４】
前記把持部は、前記把持部の先端面部に連設され、径方向の寸法が前記把持部の寸法より小さい固定部を有し、前記固定部の外周部には係止部が設けられると共に、前記キャップ部の開口部の内周部には前記係止部に係合する係合部が設けられ、前記固定部に前記キャップ部が着脱可能に嵌合されてなることを特徴とする請求項１に記載のルーペ。
【請求項５】
前記把持部は、前記把持部の先端面部に連設され、径方向の寸法が前記把持部の寸法より小さい固定部を有し、前記固定部の外周部には雄螺子部が設けられると共に、前記キャップ部の開口部の内周部には前記雄螺子部に螺合する雌螺子部が設けられ、前記固定部に前記キャップ部が着脱可能に螺合されてなることを特徴とする請求項１に記載のルーペ。
【考案の詳細な説明】
【技術分野】
【０００１】
本考案は、ルーペに関するものである。
【背景技術】
【０００２】
従来から提供されている拡大鏡は、一般的な虫眼鏡型の他に、携帯型が知られており、例えば、特許文献１及び２においては、所定形状の枠体にレンズが嵌め込まれた拡大鏡が提案されている。
【０００３】
しかしながら、これらの拡大鏡は、枠体にレンズが嵌め込まれているため、書類、新聞、辞書等の文字を拡大するには、枠体部分が余分で邪魔になり、さらに、文字の拡大率が小さくて不便であるという問題があった。
【０００４】
また、従来から提供されている拡大鏡は、例えば、特許文献１及び２に記載のもののように、男性や年配者が使うことを想定しているため、デザインが洗練されておらず、特に女性が人前で使うには抵抗があるという問題もあった。
【特許文献１】実公平５−４６０１５号公報
【特許文献２】実開平５−８１８１７号公報
【考案の開示】
【考案が解決しようとする課題】
【０００５】
本考案は、上記従来技術の有する問題点に鑑みなされたものであり、その目的とするところは、優れた拡大率を有し携帯に便利なルーペを提供することにある。
【０００６】
また、本考案の他の目的とするところは、女性が所持しても違和感のない美観に優れたルーペを提供することにある。
【課題を解決するための手段】
【０００７】
本考案の上記課題は、下記の手段によって達成される。
【０００８】
請求項１に記載の考案に係るルーペは、把持部と、前記把持部に固定されたレンズ部とを有するルーペ本体と、前記レンズ部を被覆しうるキャップ部とを備え、前記レンズ部は細長板状に形成されて前記把持部の先端面部に固定され、前記キャップ部は前記把持部に係合固定されることを特徴とする。
【０００９】
従って、本考案に係るルーペは、把持部と、前記把持部に固定されたレンズ部とを有するルーペ本体と、前記レンズ部を被覆しうるキャップ部とを備え、前記レンズ部が細長板状に形成されて前記把持部の先端面部に固定され、前記キャップ部が前記把持部に係合固定されることにより、前記レンズ部を前記キャップで被覆して、前記ルーペ本体と前記キャップ部とを一体化することができる。
【００１０】
請求項２に記載の考案に係るルーペは、前記レンズ部は、長さ方向中間部の厚さ寸法が最も大きいと共に、両端部に至るに従って厚さ寸法が小さくなるように形成された両凸レンズからなることを特徴とする。
【００１１】
従って、本考案に係るルーペは、前記レンズ部が、長さ方向中間部の厚さ寸法が最も大きいと共に、両端部に至るに従って厚さ寸法が小さくなるように形成された両凸レンズからなることにより、レンズ径の大きな凸レンズにより拡大された虚像を容易に目視観察することができる。
【００１２】
請求項３に記載の考案に係るルーペは、前記把持部及び前記キャップ部は、同一径寸法の開口端部を有する筒状に形成されていることを特徴とする。
【００１３】
従って、本考案に係るルーペは、前記把持部及び前記キャップ部が、同一径寸法の開口端部を有する筒状に形成されることにより、前記ルーペ本体及び前記キャップ部の係合固定部分の間に段差を無くしてフラットな状態にすることができる。
【００１４】
請求項４に記載の考案に係るルーペは、前記把持部は、前記把持部の先端面部に連設され、径方向の寸法が前記把持部の寸法より小さい固定部を有し、前記固定部の外周部には係止部が設けられると共に、前記キャップ部の開口部の内周部には前記係止部に係合する係合部が設けられ、前記固定部に前記キャップ部が着脱可能に嵌合されてなることを特徴とする。
【００１５】
従って、本考案に係るルーペは、前記把持部が、前記把持部の先端面部に連設され、径方向の寸法が前記把持部の寸法より小さい固定部を有し、前記固定部の外周部には係止部が設けられると共に、前記キャップ部の開口部の内周部には前記係止部に係合する係合部が設けられ、前記固定部に前記キャップ部が着脱可能に嵌合されてなることにより、前記キャップ部を前記固定部に容易に嵌合させることができる。
【００１６】
請求項５に記載の考案に係るルーペは、前記把持部は、前記把持部の先端面部に連設され、径方向の寸法が前記把持部の寸法より小さい固定部を有し、前記固定部の外周部には雄螺子部が設けられると共に、前記キャップ部の開口部の内周部には前記雄螺子部に螺合する雌螺子部が設けられ、前記固定部に前記キャップ部が着脱可能に螺合されてなることを特徴とする。
【００１７】
従って、本考案に係るルーペは、径方向の寸法が前記把持部の寸法より小さい固定部を有し、前記固定部の外周部には雄螺子部が設けられると共に、前記キャップ部の開口部の内周部には前記雄螺子部に螺合する雌螺子部が設けられ、前記固定部に前記キャップ部が着脱可能に螺合されてなることにより、前記キャップ部を前記固定部に確実且つ堅強に螺合させることができる。
【考案の効果】
【００１８】
請求項１に記載の考案にあっては、把持部と、前記把持部に固定されたレンズ部とを有するルーペ本体と、前記レンズ部を被覆しうるキャップ部とを備え、前記レンズ部が細長板状に形成されて前記把持部の先端面部に固定され、前記キャップ部が前記把持部に係合固定されることにより、前記レンズ部を前記キャップで被覆して、前記ルーペ本体と前記キャップ部とを一体化することができるので、鞄等に入れて容易に持ち運ぶことができると共に、例えば、スーツのポケットや女性用の化粧ポーチ等の小容量の入れ物に入れてもかさ張らず、ストレスを感じずに携帯することができる。
【００１９】
また、前記レンズ部を前記キャップで被覆して、前記ルーペ本体と前記キャップ部とを一体化することができるので、キャップ被覆時には前記レンズ部が外方へ露出せず、傷や汚れ等の付着を防止することができる。
【００２０】
また、前記レンズ部が細長板状に形成されることにより、例えば、横方向又は縦方向に細長く配列される小さな文字であっても、容易に読み取ることができる。
【００２１】
請求項２に記載の考案にあっては、前記レンズ部が、長さ方向中間部の厚さ寸法が最も大きいと共に、両端部に至るに従って厚さ寸法が小さくなるように形成された両凸レンズからなることにより、レンズ径が大きいことから凸レンズにより拡大された虚像を容易に目視観察することができるので、優れた拡大率を有する拡大鏡として利用することができる。
【００２２】
請求項３に記載の考案にあっては、前記把持部及び前記キャップ部が、同一径寸法の開口端部を有する筒状に形成されることにより、前記ルーペ本体及び前記キャップ部の係合固定部分の間に段差を無くしてフラットな状態にすることができるので、例えば、女性が所持しても違和感のない美観に優れたルーペを提供することができる。
【００２３】
請求項４に記載の考案にあっては、前記把持部が、前記把持部の先端面部に連設され、径方向の寸法が前記把持部の寸法より小さい固定部を有し、前記固定部の外周部には係止部が設けられると共に、前記キャップ部の開口部の内周部には前記係止部に係合する係合部が設けられ、前記固定部に前記キャップ部が着脱可能に嵌合されてなることにより、前記キャップ部を前記固定部に容易に嵌合させることができるので、前記キャップ部の開閉操作を簡便に行うことができる。
【００２４】
請求項５に記載の考案にあっては、径方向の寸法が前記把持部の寸法より小さい固定部を有し、前記固定部の外周部には雄螺子部が設けられると共に、前記キャップ部の開口部の内周部には前記雄螺子部に螺合する雌螺子部が設けられ、前記固定部に前記キャップ部が着脱可能に螺合されてなることにより、前記キャップ部を前記固定部に確実且つ堅強に螺合させることができるので、前記キャップ部の脱落を防止することができる。
【図面の簡単な説明】
【００２５】
【図１】本考案に係るルーペの一実施の形態を示し、本考案に係るルーペの構成要素であるルーペ本体にキャップ部を係合させた状態を示す斜視図である。
【図２】本考案に係るルーペの一実施の形態を示し、本考案に係るルーペの構成要素であるルーペ本体からキャップ部を外した状態を示す斜視図である。
【図３】本考案に係るルーペの一実施の形態を示し、本考案に係るルーペの構成要素であるルーペ本体を示す側面図である。
【図４】本考案に係るルーペの一実施の形態を示し、（ａ）は本考案に係るルーペの構成要素である図２の把持部を示すＡ−Ａ段面図であり、（ｂ）は（ａ）の丸で囲った部分を拡大した部分段面図である。
【図５】本考案に係るルーペの一実施の形態を示し、本考案に係るルーペの構成要素である図２のキャップ部を示すＢ−Ｂ段面図である。
【考案を実施するための最良の形態】
【００２６】
以下、本考案に係るルーペを実施の形態に基づき、図面を参照して詳細に説明する。なお、本考案のルーペは、以下の各実施形態に限定されるものではなく、本考案の要旨を逸脱しない範囲内において種々変更を加え得ることは可能である。
【００２７】
まず、本考案に係るルーペ１０の実施形態について説明する。図１及び図２に示すように、本実施形態に係るルーペ１０は、把持部１１と、把持部１１に固定されたレンズ部１２とを有するルーペ本体１３と、レンズ部１２を被覆しうるキャップ部１４とを備えており、全体として軸方向両端が閉塞された筒状に形成されている。
【００２８】
図２及び図３に示すように、把持部１１は、ＡＢＳ樹脂（アクリロニトリル (Acrylonitrile)、ブタジエン (Butadiene)、及びスチレン (Styrene)の共重合合成樹脂）等のプラスチック製素材からなり、一端が閉塞された円筒状に形成されている。
【００２９】
図２〜図４に示すように、把持部１１の先端面部１５には、略円柱状に形成された固定部１６が連接されており、図４（ａ）に示すように、固定部１６は、固定部１６の径方向の寸法Ｌ１より把持部１１の径方向の寸法Ｌ２の方が大きくなるように形成され、図４（ｂ）に示すように、固定部１６の外周部１７には、係止凹部１８が設けられている。
【００３０】
図２及び図３に示すように、レンズ部１２は、細長板状に形成され、アクリル樹脂等のプラスチック製素材の両凸レンズからなり、固定部１６の先端面部１９に固定され、図３に示すように、レンズ部１２の長さ方向中間部の厚さ寸法Ｌ３が最も大きく、両端部に至るに従って厚さ寸法が小さくなるように形成されている。
【００３１】
図２に示すように、キャップ部１４は、ポリカーボネート（ポリカルボナート）等のプラスチック製素材からなり、一端が閉塞された筒状に形成されている。
【００３２】
図２及び図５に示すように、キャップ部１４の開口部２０の内周部２１には、固定部１６の係止凹部１８に係合する係合凸部２２が設けられており、係止凹部１８と係合凸部２２とが係合することにより、固定部１６にキャップ部１４を着脱可能に嵌合することができ、キャップ部１４の開閉操作を簡便に行うことができる。
【００３３】
また、図１、図３及び図５に示すように、把持部１１及びキャップ部１４は、把持部１１の径方向寸法Ｌ２及びキャップ部１４の径方向寸法Ｌ４が、同一径寸法の開口端部を有する筒状に形成されているので、固定部１６にキャップ部１４を嵌合することにより、ルーペ本体１３及びキャップ部１４の係合固定部分の間に段差を無くしてフラットな状態にすることができ、例えば、女性が所持しても違和感のない美観に優れたルーペ１０を提供することができる。
【００３４】
次に、本考案に係るルーペ１０の使用方法について説明する。まず、図１に示すキャップ部１４が把持部１１に係合固定された状態から、把持部１１を掴んで固定し、キャップ部１４を掴んで把持部１１から離す方向に引っ張ると、図２に示すように、把持部１１からキャップ部１４が外れ、レンズ部１２が露出した状態になる。
【００３５】
そして、レンズ部１２を、拡大したい文字列等の上に所定間隔を置いてかざすと、拡大された文字列等を目視観察することができる。
【００３６】
なお、上述した実施形態においては、キャップ部１４の開口部２０の内周部２１に、係止凹部１８に係合する係合凸部２２を設けることにより、固定部１６にキャップ部１４が着脱可能に嵌合されてなるルーペ１０を例に挙げて説明したが、顧客の要望やルーペの種類等に合わせて、例えば、キャップ部の開口部の内周部に、雄螺子部に螺合する雌螺子部が設けられることにより、固定部にキャップ部が着脱可能に螺合されてなるルーペ等に適宜設計変更することが可能であり、その場合であっても本実施形態ともに上述した同様の作用及び効果を得ることができる。
【００３７】
また、本考案に係るルーペは、多色展開が可能であり、顧客の要望やルーペの種類等に合わせて、適宜設計変更することが可能であり、その場合であっても本実施形態ともに上述した同様の作用及び効果を得ることができる。
【００３８】
また、上述した実施形態においては、両凸レンズを備えたルーペ１０を例に挙げて説明したが、顧客の要望やルーペの種類等に合わせて、例えば、片凸レンズ等に適宜設計変更することが可能であり、その場合であっても本実施形態ともに上述した同様の作用及び効果を得ることができる。
【産業上の利用可能性】
【００３９】
本考案に係るルーペは、鞄等に入れて容易に持ち運ぶことができると共に、例えば、スーツのポケットや女性用の化粧ポーチ等の小容量の入れ物に入れてもかさ張らず、ストレスを感じずに携帯することができ、その結果、ルーペとして極めて有用であることから、産業上の利用可能性を有している。
【符号の説明】
【００４０】
１０・・・ルーペ
１１・・・把持部
１２・・・レンズ部
１３・・・ルーペ本体
１４・・・キャップ部
１５、１９・・・先端面部
１６・・・固定部
１７・・・外周部
１８・・・係止凹部
２０・・・開口部
２１・・・内周部
２２・・・係合凸部
Ｌ１、Ｌ２、Ｌ４・・・径方向の寸法
Ｌ３・・・厚さ寸法
【図１】
0003185590.tif 000003
【図２】
0003185590.tif 000004
【図３】
0003185590.tif 000005
【図４】
0003185590.tif 000006
【図５】
0003185590.tif 000007